(57)【特許請求の範囲】
【請求項１】
電子機器に非接触で電力を送電する送電手段と、
前記電子機器と通信を行う通信手段と、
制御手段と、
を有し、
前記制御手段は、前記通信手段を介して前記電子機器が受電可能な電力レベルの情報を取得し、
前記送電手段から送電される電力を増減させるための指示を前記通信手段を介して前記電子機器から受信した場合、前記制御手段は、前記送電手段から送電される電力を変更し、
一度の指示で前記制御手段により変更される前記電力の変更量は、前記電子機器が受電可能な電力レベルに応じて異なることを特徴とする送電装置。
【請求項２】
前記電力レベルは、前記電子機器が対応する最大受電電力に応じて段階的に分類されたレベルであることを特徴とする請求項１に記載の送電装置。
【請求項３】
前記制御手段は、アンプ電圧を調整することにより前記送電手段から送電される電力の大きさを制御することを特徴とする請求項１又は２に記載の送電装置。
【請求項４】
前記制御手段は、前記通信手段を介して、前記電子機器から電力の増減を要求された場合に電力の増減ステップ数の情報を受信し、
前記制御手段は、決定した電力に応じて、前記送電手段によって送電される電力の１ステップあたりの増減量を決定することにより電力の増減量を決定することを特徴とする請求項１から３のいずれか１項に記載の送電装置。
【請求項５】
前記制御手段は、前記通信手段を介して、前記電子機器が受電可能な電力レベルに応じて前記送電手段によって送電される電力に係る情報を前記電子機器に送信し、
前記制御手段は、前記送信した電力に係る情報に基づいて前記電子機器から送電を許可された場合に、前記送電手段から前記電子機器に電力を送電するよう制御することを特徴とする請求項１から４のいずれか１項に記載の送電装置。
【請求項６】
前記制御手段は、前記通信手段を介して、前記電子機器が受電可能な電力レベルに応じて前記送電手段によって送電される電力に係る情報を前記電子機器に送信し、
前記送信した電力に係る情報に基づいて前記電子機器から送電を許可されなかった場合、前記制御手段は、前記送電手段によって送電される電力を下げ、かつ前記下げた電力に係る情報を改めて前記通信手段を介して前記電子機器に送信するよう制御することを特徴とする請求項１から５のいずれか１項に記載の送電装置。
【請求項７】
前記制御手段は、前記通信手段を介して前記電子機器と周期的に繰り返し通信することを特徴とする請求項１から６のいずれか１項に記載の送電装置。
【請求項８】
前記制御手段は、前記電力レベルに応じて、前記通信手段を介して前記電子機器と通信する周期を異ならせることを特徴とする請求項７に記載の送電装置。
【請求項９】
前記制御手段は、前記電力レベルが低いほど、前記通信手段を介して前記電子機器と通信する周期を長く設定することを特徴とする請求項７に記載の送電装置。
【請求項１０】
前記制御手段は、前記送電手段を用いて前記電子機器に送電する前に、前記通信手段を介して前記電子機器が受電可能な電力レベルの情報を取得するよう制御することを特徴とする請求項１から９のいずれか１項に記載の送電装置。
【請求項１１】
前記制御手段は、前記送電手段を用いた前記電子機器への送電と、前記通信手段を介した前記電子機器との通信とを、交互に実行するよう制御することを特徴とする請求項１から１０のいずれか１項に記載の送電装置。
【請求項１２】
アンテナを更に有し、
前記送電手段を用いた前記電子機器への送電と、前記通信手段を介した前記電子機器との通信とは、どちらも前記アンテナを用いることを特徴とする請求項１から１１のいずれか１項に記載の送電装置。
【請求項１３】
前記通信手段を介した前記電子機器との通信は、ＮＦＣの規格に沿った通信であり、
前記制御手段は、前記通信手段を介した前記電子機器との通信において、リーダライタとして動作することを特徴とする請求項１から１２のいずれか１項に記載の送電装置。
【請求項１４】
電子機器に非接触で電力を送電する送電手段と、前記電子機器と通信を行う通信手段とを含む送電装置の制御方法であって、
前記通信手段を介して前記電子機器が受電可能な電力レベルの情報を取得する取得ステップと、
前記送電手段から送電される電力を増減させるための指示を前記通信手段を介して前記電子機器から受信した場合、前記送電手段から送電される電力を変更する制御ステップと、
を有し、
一度の指示で前記制御ステップにより変更される前記電力の変更量は、前記電子機器が受電可能な電力レベルに応じて異なることを特徴とする送電装置の制御方法。
【請求項１５】
コンピュータを、請求項１から１３のいずれか１項に記載の送電装置の各手段として機能させるための、コンピュータが読み取り可能なプログラム。
【発明の詳細な説明】
【技術分野】
【０００１】
本発明は、特に、無線により電力を送電するために用いて好適な送電装置、送電装置の制御方法及びプログラムに関する。
【背景技術】
【０００２】
近年、コネクタで接続することなく非接触で電力を送信する送電装置と、送電装置から送信された電力によって装着されている電池の充電を行う電子機器とを含む無線電力伝送システムが知られている。このような非接触による無線電力伝送システムにおいて、電子機器に対して電磁誘導現象を利用して送電を行う送電装置が知られている（特許文献１参照）。
【先行技術文献】
【特許文献】
【０００３】
【特許文献１】特開２０１０−６３２４５号公報
【発明の概要】
【発明が解決しようとする課題】
【０００４】
従来、複数の送電先から特定の送電先となる電子機器を選択できる送電装置は知られている。しかしながら、送電装置が送電先となる電子機器に応じて、電力をどの程度送るかを制御していないため、送電装置は、電子機器に対して適切な送電量を決定することができない。そのため、過剰な送電量により送電先である電子機器に悪影響を及ぼす恐れがある。
【０００５】
本発明は前述の問題点に鑑み、無線電力伝送を行う際に、送電先となる電子機器に対して適切な送電電力の大きさを決定できるようにすることを目的としている。
【課題を解決するための手段】
【０００６】
本発明に係る送電装置は、電子機器に非接触で電力を送電する送電手段と、前記電子機器と通信を行う通信手段と、制御手段と、を有し、前記制御手段は、前記通信手段を介して前記電子機器が受電可能な電力レベルの情報を取得し、前記送電手段から送電される電力を増減させるための指示を前記通信手段を介して前記電子機器から受信した場合、前記制御手段は、前記送電手段から送電される電力を変更し、一度の指示で前記制御手段により変更される前記電力の変更量は、前記電子機器が受電可能な電力レベルに応じて異なることを特徴とする。
【発明の効果】
【０００７】
本発明によれば、無線電力伝送を行う際に、送電先となる電子機器に応じて適切な送電電力の大きさを決定することにより、送電先である電子機器に悪影響を及ぼさないようにすることができる。
【図面の簡単な説明】
【０００８】
【図１】実施形態１に係る無線電力伝送システムの一例を説明するための図である。
【図２】送電装置が有する構成要素の一例を説明するためのブロック図である。
【図３】検出部の詳細な構成例を説明するための図である。
【図４】電子機器が有する構成要素の一例を説明するためのブロック図である。
【図５】認証用ＮＤＥＦメッセージ情報の例を示す図である。
【図６】送電装置により送電電力の電力量を決定する処理手順を説明するためのフローチャートである。
【図７】実施形態１におけるステータス交換用ＮＤＥＦメッセージ情報の例を示す図である。
【図８】実施形態１において、送電装置により送電電力の電力量の増減量を決定する処理手順を説明するためのフローチャートである。
【図９】実施形態２におけるステータス交換用ＮＤＥＦメッセージ情報の例を示す図である。
【図１０】実施形態２において、送電装置により送電電力の電力量の増減量を決定する処理手順を説明するためのフローチャートである。
【発明を実施するための形態】
【０００９】
以下、図面を参照して本発明の実施形態を説明する。ただし、本発明の実施形態は以下の実施形態に限定されるものではない。
【００１０】
［実施形態１］
図１に示すように、実施形態１に係る無線電力伝送システムは、送電装置１００と、電子機器２００とを有する。実施形態１における無線電力伝送システムにおいて、送電装置１００と電子機器２００との距離が所定の範囲内に存在する場合に、送電装置１００は、電子機器２００に無線により送電を行う。
【００１１】
また、電子機器２００が送電装置１００から所定の範囲内に存在する場合、電子機器２００は、送電装置１００から出力される電力を無線により受け取ることができる。ところが、電子機器２００が送電装置１００から所定の範囲内に存在しない場合は、電子機器２００は、送電装置１００から電力を受け取ることができない。ここで、所定の範囲とは、送電装置１００と電子機器２００とが通信を行うことができる範囲であるものとする。なお、実施形態１では所定の範囲を送電装置１００の筐体上の範囲としたが、これに限られないものとする。また、送電装置１００は、複数の電子機器に対して、無線により送電を行うものであってもよいものとする。
【００１２】
一方、電子機器２００は、カメラ等の撮像装置であってもよく、音声データや映像データ等の再生を行う再生装置であってもよい。また、電子機器２００、携帯電話やスマートフォンのような通信装置であってもよいものとする。また、電子機器２００は、電池を含む電池パックであってもよい。また、電子機器２００は、送電装置１００から供給される電力によって駆動する車のような装置であってもよい。また、電子機器２００は、テレビジョン放送を受信する装置、映像データを表示するディスプレイ、またはパーソナルコンピュータであってもよいものとする。また、電子機器２００は、電池が装着されていない場合であっても、送電装置１００から供給される電力を用いて動作する装置であってもよい。
【００１３】
図２は、送電装置１００が有する構成要素の一例を説明するためのブロック図である。
送電装置１００は、図２に示すように、変換部１０１、発振器１０２、電力生成部１０３、整合回路１０４、ＮＦＣ通信部１０５、送電アンテナ１０６、及びＣＰＵ（Ｃｅｎｔｒａｌ  Ｐｒｏｃｅｓｓｉｎｇ  Ｕｎｉｔ）１０７を有する。さらに、送電装置１００は、ＲＯＭ１０８、ＲＡＭ１０９、表示部１１０、操作部１１１、無線通信部１１２及び検出部１１３を含む。
【００１４】
変換部１０１は、不図示のＡＣ電源と送電装置１００とが接続されている場合、不図示のＡＣ電源から供給される交流電力を直流電力に変換し、変換した直流電力を送電装置１００に供給する。
【００１５】
発振器１０２は、変換部１０１から供給される電力をＣＰＵ１０７によって設定された目標電力に変換するように、電力生成部１０３を制御するために用いられる周波数を発振する。なお、発振器１０２は、水晶振動子等を用いる。
【００１６】
電力生成部１０３は、変換部１０１から供給される電力と、発振器１０２によって発振される周波数とに基づいて、送電アンテナ１０６を介して外部に出力するための電力を生成する。電力生成部１０３は、内部にアンプ等を有し、発振器１０２によって発振される周波数に応じて、外部に出力するための電力を生成する。なお、電力生成部１０３によって生成された電力は、検出部１１３を介して、整合回路１０４に供給される。
【００１７】
また、電力生成部１０３によって生成される電力には、通信電力と、送電電力とがある。送電装置１００は、送電装置１００と電子機器２００との間でＮＦＣ（Ｎｅａｒ  Ｆｉｅｌｄ  Ｃｏｍｍｕｎｉｃａｔｉｏｎ）規格に準拠した無線通信を行う。通信電力は、送電装置１００がＮＦＣ規格（ＮＦＣＩＰ−１（ＩＳＯ／ＩＥＣ  １８０９２）または、ＮＦＣＩＰ−２（ＩＳＯ／ＩＥＣ  ２１４８１））に準拠した無線通信を行うために電子機器２００に供給する電力である。一方、送電電力は、送電装置１００が電子機器２００に電池２１２の充電を行わせるために電子機器２００に供給する電力である。通信電力は、例えば１Ｗ以下の電力であり、送電電力は、例えば１Ｗ以上の電力である。
【００１８】
なお、通信電力は、送電電力よりも低い電力であるものとする。また、通信電力は、送電装置１００がＮＦＣ規格に準拠した無線通信を行うために用いられる電力であれば、１Ｗ以下の電力に限られないものとする。また、送電電力は、送電装置１００が電子機器２００に充電を行わせるために用いられる電力であれば、１Ｗ以上の電力に限られないものとする。また、ＣＰＵ１０７は、電力生成部１０３のアンプの電圧を変えて電力生成部１０３により生成される電力を変えることにより、送電電力を調整することが可能である。
【００１９】
整合回路１０４は、送電アンテナ１０６と、図４に示す電子機器２００の受電アンテナ２０１との間で共振を行うための共振回路である。また、整合回路１０４は、電力生成部１０３と送電アンテナ１０６との間のインピーダンスマッチングを行うための回路を含む。整合回路１０４には、不図示のコイルや不図示のコンデンサが含まれる。
【００２０】
送電装置１００が通信電力及び送電電力のいずれか一つを出力する場合、ＣＰＵ１０７は、送電アンテナ１０６と電子機器２００の受電アンテナ２０１との間で共振を行うために、送電アンテナ１０６の共振周波数ｆが所定の周波数になるように制御する。この場合、ＣＰＵ１０７は、整合回路１０４に含まれるインダクタンスの値、及び整合回路１０４に含まれるキャパシタンスの値を制御することにより、送電アンテナ１０６の共振周波数ｆを変更するようにする。なお、所定の周波数は、送電装置１００と電子機器２００との間で、ＮＦＣ規格に準拠した無線通信を行うために用いられる周波数である。さらに所定の周波数は、送電装置１００と電子機器２００との間で共振を行うために用いられる周波数でもある。所定の周波数は、例えば、１３．５６ＭＨｚの周波数である。
【００２１】
さらに、整合回路１０４は、送電アンテナ１０６に流れる電流を検出し、送電アンテナ１０６に供給される電圧を検出することもできる。整合回路１０４は、検出した送電アンテナ１０６の電流の値をＣＰＵ１０７に通知するとともに、検出した送電アンテナ１０６の電圧の値をＣＰＵ１０７に通知する。さらに、整合回路１０４は、検出した送電アンテナ１０６の電流の値をＮＦＣ通信部１０５に通知する。
【００２２】
送電アンテナ１０６の共振周波数ｆが１３．５６ＭＨｚである場合、ＮＦＣ通信部１０５は、ＮＦＣ規格に準拠した無線通信を行う。送電アンテナ１０６の共振周波数ｆが１３．５６ＭＨｚで、送電装置１００が通信電力を電子機器２００に供給している場合、ＮＦＣ通信部１０５は、送電アンテナ１０６を介して電子機器２００とＮＦＣ規格に準拠した無線通信を行うことができる。一方、発振器１０２により発振される周波数が１３．５６ＭＨｚで、送電装置１００が送電電力を電子機器２００に供給している場合、ＮＦＣ通信部１０５は、送電アンテナ１０６を介して電子機器２００とＮＦＣ規格に準拠した無線通信を行うことができない。
【００２３】
ＮＦＣ通信部１０５は、コマンドを通信電力に重畳させ、送電アンテナ１０６を介して電子機器２００に送信する。この場合、ＮＦＣ通信部１０５は電子機器２００に送信するコマンドに対応するパルス信号を生成するために、ＮＦＣ規格のプロトコルに基づいて、電力生成部１０３で生成された通信電力にＡＳＫ（Ａｍｐｌｉｔｕｄｅ  Ｓｈｉｆｔ  Ｋｅｙｉｎｇ）変調を行う。なお、ＡＳＫ変調は、振幅変位を利用した変調であり、ＩＣカードとカードリーダとの間の通信で用いられる。その後、ＮＦＣ通信部１０５は、生成されたパルス信号をコマンドとして、送電アンテナ１０６を介して電子機器２００に送信する。
【００２４】
電子機器２００は、送電装置１００から受信したパルス信号を解析することにより、「１」の情報と、「０」の情報とを含むビットデータを取得し、ビットデータによって示される処理を行う。送電装置１００からコマンドを電子機器２００が受信した場合、電子機器２００は、電子機器２００に含まれる負荷を変調させることにより、受信したコマンドに対応する応答データを送電装置１００に送信する。電子機器２００において負荷の変調が行われる場合、送電アンテナ１０６に流れる電流が変化する。このため、ＮＦＣ通信部１０５は、整合回路１０４から供給される送電アンテナ１０６の電流の値をＮＦＣ通信部１０５に含まれる不図示の復調回路で復調することによって、電子機器２００から応答データを受信することができる。
【００２５】
送電アンテナ１０６は、電力生成部１０３により生成された電力を外部に出力するためのアンテナである。送電装置１００は、送電アンテナ１０６を介して電子機器２００に電力を供給したり、送電アンテナ１０６を介して電子機器２００にコマンドを送信したりする。また、送電装置１００は、送電アンテナ１０６を介して、電子機器２００からコマンド、及び電子機器２００に送信したコマンドに対応する応答データを受信する。
【００２６】
ＣＰＵ１０７は、ＲＯＭ１０８に記憶されているコンピュータプログラムを実行することによって、送電装置１００を制御する。ＣＰＵ１０７は、電力生成部１０３を制御することによって電子機器２００に供給する電力を制御する。また、ＣＰＵ１０７は、通信電力が出力されてから経過した時間を計測するタイマー１０７ａを備えている。
【００２７】
ＲＯＭ１０８は、送電装置１００を制御するためのコンピュータプログラム及び送電装置１００に関するパラメータ等の情報を記憶する。
ＲＡＭ１０９は、書き換え可能なメモリであり、送電装置１００を制御するためのコンピュータプログラム、送電装置１００に関するパラメータ等の情報、ＮＦＣ通信部１０５によって電子機器２００から受信されたデータ等が記録される。
【００２８】
表示部１１０は、ＲＡＭ１０９及びＲＯＭ１０８のいずれか一つから供給される映像データを表示する。
操作部１１１は、送電装置１００を操作するためのユーザインターフェースを提供する。操作部１１１は、送電装置１００の電源ボタン、送電装置１００のモード切換ボタン等を有し、各ボタンはスイッチ、タッチパネル等により構成される。ＣＰＵ１０７は、操作部１１１を介して入力された入力信号に従って送電装置１００を制御する。
【００２９】
無線通信部１１２は、ＮＦＣ規格に準拠した無線通信と異なる無線通信を行う。無線通信部１１２は、ＮＦＣ規格に準拠した無線通信よりも通信距離が長い無線通信を行うものとし、無線通信部１１２は、ＮＦＣ規格に準拠した無線通信と異なる周波数の帯域を用いて無線通信を行うものとする。例えば、無線通信部１１２は、無線ＬＡＮ（Ｌｏｃａｌ  Ａｒｅａ  ＮｅｔＷｏｒｋ）規格に準拠した無線通信を行うものとする。
【００３０】
次に、図２の検出部１１３について説明する。
検出部１１３の構成の一例を、図３に示す。検出部１１３は、図３に示すように、トロイダルコア３０１、コンデンサ３０２、３０３、ダイオード３０４、抵抗３０５、コンデンサ３０６、３０７、ダイオード３０８及び抵抗３０９を有する。さらに、検出部１１３は、Ａ／Ｄコンバータ３１０、３１１を有する。
【００３１】
検出部１１３は、送電アンテナ１０６から出力される電力の進行波をＣＭ（誘導性結合及び容量性結合）結合によって、コンデンサ３０７の電圧として検出する。さらに、検出部１１３は、検出されたコンデンサ３０７の電圧をＡ／Ｄコンバータ３１０によってアナログ値からデジタル値に変更してからＣＰＵ１０７に供給する。また、検出部１１３は、送電アンテナ１０６から出力される電力の反射波をＣＭ結合によって、コンデンサ３０３の電圧として検出する。さらに、検出部１１３は、検出されたコンデンサ３０３の電圧をＡ／Ｄコンバータ３１１によってアナログ値からデジタル値に変更してからＣＰＵ１０７に供給する。
【００３２】
なお、検出部１１３において、トロイダルコア３０１によって誘導性結合が行われ、コンデンサ３０２、３０６によって容量性結合が行われる。
ＣＰＵ１０７は、Ａ／Ｄコンバータ３１０から供給された電圧を進行波の振幅電圧Ｖ１として検出し、Ａ／Ｄコンバータ３１１から供給された電圧を反射波の振幅電圧Ｖ２として検出する。ＣＰＵ１０７は、進行波の振幅電圧Ｖ１と、反射波の振幅電圧Ｖ２とによって、電圧反射係数ρを取得する。さらに、ＣＰＵ１０７は、電圧反射係数ρによって電圧定在波比ＶＳＷＲ（Ｖｏｌｔａｇｅ  Ｓｔａｎｄｉｎｇ  Ｗａｖｅ  Ｒａｔｉｏ）を定期的に算出する。
【００３３】
電圧定在波比ＶＳＷＲは、送電アンテナ１０６から出力される電力の進行波と、送電アンテナ１０６から出力される電力の反射波との関係を示す値である。電圧定在波比ＶＳＷＲの値が１に近いほど、反射電力が少なく、送電装置１００から外部の電子機器に対して供給される電力の損失が少なく、効率が良い状態であることを示す。
下記の数式（１）は、電圧反射係数ρを示し、下記の数式（２）は、電圧定在波比ＶＳＷＲを示すものとする。
ρ＝Ｖ２／Ｖ１      ・・・（１）
ＶＳＷＲ＝（１＋ρ）／（１−ρ）      ・・・（２）
【００３４】
なお、以下、電圧定在波比ＶＳＷＲを「ＶＳＷＲ」と呼ぶ。ＣＰＵ１０７は、算出されたＶＳＷＲを用いて、送電装置１００の近傍に異物が存在するか否かを検出することができる。さらに、ＣＰＵ１０７は、算出されたＶＳＷＲを用いて、送電装置１００の近傍に電子機器２００が存在するか否かを検出することができる。
【００３５】
次に、図４を参照して、電子機器２００の構成の一例について説明を行う。
図４は、電子機器２００が有する構成要素の一例を説明するためのブロック図である。
電子機器２００は、図４に示すように、受電アンテナ２０１、整合回路２０２、整流平滑回路２０３、ＮＦＣ通信部２０４、レギュレータ２０５、ＣＰＵ２０６、ＲＯＭ２０７及びＲＡＭ２０８を有する。さらに電子機器２００は、第１の接続部２０９、第２の接続部２１０、充電制御部２１１、電池２１２及び発振器２１３、電力生成部２１４、操作部２１５、画像処理部２１６及び切換部２２０を有する。
【００３６】
受電アンテナ２０１は、送電装置１００から供給される電力を受電するためのアンテナである。電子機器２００は、受電アンテナ２０１を介して、送電装置１００から電力を受電したり、送電装置１００とＮＦＣ規格に対応する無線通信を行ったりする。また、電子機器２００は、受電アンテナ２０１を介して送電装置１００からコマンドを受信した場合、送電装置１００から受信したコマンドに対応する応答データを送電装置１００に送信する。
【００３７】
整合回路２０２は、送電アンテナ１０６の共振周波数ｆと同じ周波数に応じて、送電アンテナ１０６と受電アンテナ２０１との間で共振するための共振回路である。また、整合回路２０２は、受電アンテナ２０１と整流平滑回路２０３との間のインピーダンスマッチングを行うための回路を含む。整合回路２０２には、不図示のコイルや不図示のコンデンサが含まれる。ＣＰＵ２０６は、送電アンテナ１０６の共振周波数ｆと同じ周波数で受電アンテナ２０１が共振するように整合回路２０２に含まれるコイルの値やコンデンサの値を制御する。また、整合回路２０２は、受電アンテナ２０１によって受電される電力を整流平滑回路２０３に供給する。
【００３８】
整流平滑回路２０３は、整合回路２０２から供給される電力からコマンド及びノイズを取り除き、直流電力を生成する。さらに、整流平滑回路２０３は、生成した直流電力をレギュレータ２０５に供給する。整流平滑回路２０３は、受電アンテナ２０１によって受電される電力から取り除いたコマンドをＮＦＣ通信部２０４に供給する。
【００３９】
ＮＦＣ通信部２０４は、ＮＦＣ規格に準拠した無線通信を行う。ＮＦＣ通信部２０４は、整流平滑回路２０３から供給されたコマンドをＮＦＣ規格のプロトコルに応じて解析し、コマンドの解析結果をＣＰＵ２０６に供給する。送電装置１００から電子機器２００に通信電力が供給されている場合、ＣＰＵ２０６は、受信したコマンドに対する応答データを送電装置１００に送信する。この場合、ＣＰＵ２０６は、受信したコマンドに対する応答データを送電装置１００に送信するために、ＮＦＣ通信部２０４に含まれる負荷を変動させるようにＮＦＣ通信部２０４を制御する。ここで、応答データは、ＲＯＭ２０７またはＲＡＭ２０８に、ＮＦＣフォーラム規格であるＮＤＥＦ（ＮＦＣ  Ｄａｔａ  Ｅｘｃｈａｎｇｅ  Ｆｏｒｍａｔ）の形式で保持されている。なお、応答データの種類としては、認証用ＮＤＥＦメッセージ情報、ステータス交換用ＮＤＥＦメッセージ情報などがある。
【００４０】
認証用ＮＤＥＦメッセージ情報は、送電装置１００と機器認証を行う際に送信される情報であり、詳細は後述する。また、送電装置１００から電子機器２００に送電電力が供給されている場合、ＣＰＵ２０６は、所定の周期でステータス交換用ＮＤＥＦメッセージ情報をＮＦＣ通信部２０４により送電装置１００に送信する。ステータス交換用ＮＤＥＦメッセージ情報とは、送電装置１００側で送電電力を調整するための情報であり、電子機器２００の状態に応じて更新される。例えば、ＣＰＵ２０６は、充電制御部２１１からの電池２１２に係る情報、電子機器２００の温度などを参照し、ステータス交換用ＮＤＥＦメッセージ情報を更新する。なお、ステータス交換用ＮＤＥＦメッセージ情報の詳細については後述する。
【００４１】
レギュレータ２０５は、整流平滑回路２０３、電池２１２、第１の接続部２０９及び第２の接続部２１０のいずれか一つから供給される電力を電子機器２００に供給するように制御する。レギュレータ２０５は、ＣＰＵ２０６からの指示に応じて、整流平滑回路２０３を介して送電装置１００から供給される電力を電子機器２００に供給する。レギュレータ２０５は、ＣＰＵ２０６からの指示に応じて、充電制御部２１１を介して電池２１２から供給される放電電力を電子機器２００に供給する。レギュレータ２０５は、ＣＰＵ２０６からの指示に応じて、第１の接続部２０９を介して供給される電力を電子機器２００に供給する。レギュレータ２０５は、ＣＰＵ２０６からの指示に応じて、第２の接続部２１０を介して供給される電力を電子機器２００に供給する。
【００４２】
ＣＰＵ２０６は、ＮＦＣ通信部２０４から供給されたコマンド解析結果に応じて、ＮＦＣ通信部２０４が受信したコマンドがどのコマンドであるかを判定し、受信したコマンドによって指定されている処理や動作を行うように電子機器２００を制御する。また、ＣＰＵ２０６は、ＲＯＭ２０７に記憶されているコンピュータプログラムを実行することによって、電子機器２００を制御する。また、ＣＰＵ２０６は不図示の温度検出部の測定結果を入力し、電子機器２００の温度の情報を取得することができる。
【００４３】
ＲＯＭ２０７は、電子機器２００を制御するためのコンピュータプログラム及び電子機器２００に関する情報等が記録される。
ＲＡＭ２０８は、書き換え可能なメモリであり、電子機器２００を制御するためのコンピュータプログラム、送電装置１００から送信されたデータ等が記録される。
【００４４】
第１の接続部２０９は、不図示の商用電源を接続するための端子を含む。第１の接続部２０９と商用電源とが接続された場合、第１の接続部２０９は、電子機器２００と商用電源とが接続されたことを検出する。一方、第１の接続部２０９と商用電源とが接続されていない場合、第１の接続部２０９は、電子機器２００と商用電源とが接続されていないことを検出する。第１の接続部２０９と商用電源とが接続された場合、第１の接続部２０９は、商用電源から供給される交流電力を直流電力に変換し、変換された直流電力をレギュレータ２０５に供給する。
【００４５】
第２の接続部２１０は、外部電源装置を接続するための端子を含む。実施形態１において、第２の接続部２１０は、ＵＳＢ（Ｕｎｉｖｅｒｓａｌ  Ｓｅｒｉａｌ  Ｂｕｓ）ケーブルを介して外部電源装置と接続されるものとする。なお、この場合、外部電源装置は、ＵＳＢケーブルを介して電子機器２００に電力を供給することができるホストデバイスであり、例えば、パーソナルコンピュータである。
【００４６】
第２の接続部２１０と外部電源装置とがＵＳＢケーブルを介して接続された場合、第２の接続部２１０は、電子機器２００と外部電源装置とが接続されたことを検出する。第２の接続部２１０と外部電源装置とがＵＳＢケーブルを介して接続されていない場合、第２の接続部２１０は、電子機器２００と外部電源装置とが接続されていないことを検出する。第２の接続部２１０と外部電源装置とが接続された場合、第２の接続部２１０は、外部電源装置から供給される電力をレギュレータ２０５に供給する。
【００４７】
充電制御部２１１は、整流平滑回路２０３、第１の接続部２０９、及び第２の接続部２１０のいずれか一つからの電力がレギュレータ２０５から供給される場合、レギュレータ２０５から供給される電力を用いて、電池２１２の充電を行う。また、充電制御部２１１は、電池２１２から電力が放電される場合に、電池２１２から供給される放電電力をレギュレータ２０５に供給する。充電制御部２１１は、電池２１２の残容量を示す情報及び電池２１２の充電に関する情報を定期的に検出し、検出した情報をＣＰＵ２０６に通知する。
【００４８】
電池２１２は、電子機器２００に着脱可能な電池である。また、電池２１２は、充電可能な二次電池であり、例えば、リチウムイオン電池等である。また、電池２１２は、リチウムイオン電池以外のものであっても良いものとする。
【００４９】
発振器２１３は、切換部２２０を介してレギュレータ２０５から供給される電力をＣＰＵ２０６によって設定された目標電力に変換するように電力生成部２１４を制御するために用いられる周波数を発振する。なお、発振器２１３は、水晶振動子等を用いる。
【００５０】
電力生成部２１４は、レギュレータ２０５から供給される電力と、発振器２１３によって発振される周波数とに基づいて、受電アンテナ２０１を介して外部に出力するための電力を生成する。電力生成部２１４は、内部にＦＥＴ等を有し、発振器２１３によって発振される周波数に応じて、外部に出力するための電力を生成する。なお、電力生成部２１４によって生成された電力は、ＮＦＣ通信部２０４に供給される。また、電力生成部１０３によって生成される電力は、通信電力であるものとする。
【００５１】
なお、ＣＰＵ２０６は、電子機器２００から送電装置１００にＮＦＣ規格に規定されているコマンドを送信しない場合、発振器２１３とレギュレータ２０５とを接続しないように切換部２２０を制御し、電力生成部２１４の動作を停止させる。一方、ＣＰＵ２０６は、電子機器２００から送電装置１００にＮＦＣ規格に規定されているコマンドを送信する場合、発振器２１３とレギュレータ２０５とを接続するように切換部２２０を制御し、電力生成部２１４の動作を開始させる。この場合、ＮＦＣ通信部２０４は、電力生成部２１４から供給される通信電力にコマンドを重畳させて、受電アンテナ２０１を介して送電装置１００に通信電力に重畳されたコマンドが送信されるようにする。
【００５２】
操作部２１５は、電子機器２００を操作するためのユーザインターフェースである。操作部２１５は、電子機器２００を操作するための電源ボタン及び電子機器２００のモードを切り換えるモード切換ボタン等を有し、各ボタンはスイッチ、タッチパネル等により構成される。ユーザによって操作部２１５が操作された場合、操作部２１５は、ユーザによって行われた操作に対応する信号をＣＰＵ２０６に供給する。なお、操作部２１５は、不図示のリモートコントローラから受信したリモコン信号に応じて電子機器２００を制御するものであってもよい。
【００５３】
画像処理部２１６は、撮像部２１７、無線通信部２１８及び記録部２１９を有する。
撮像部２１７は、被写体の光学像から映像データを生成するための撮像素子、撮像素子で生成された映像データに対して画像処理を行う画像処理回路、映像データを圧縮したり、圧縮された映像データを伸長したりするための圧縮伸長回路等を有する。撮像部２１７は、被写体の撮影を行い、撮影の結果により得られた静止画像や動画像等の映像データを記録部２１９に供給する。記録部２１９は、撮像部２１７から供給された映像データを記録媒体２１９ａに記録する。なお、撮像部２１７は、被写体の撮影を行うための必要な構成をさらに有していてもよい。
【００５４】
無線通信部２１８は、ＲＯＭ２０７または記録媒体２１９ａに記録されている映像データ及び音声データを送電装置１００に送信したり、送電装置１００から映像データ及び音声データを受信したりすることができる。また、無線通信部２１８は、無線通信部１１２と共通する通信プロトコルに応じて、映像データ及び音声データの送受信を行う。例えば、無線通信部２１８は、無線通信部１１２と同様に無線ＬＡＮ規格に準拠した無線通信を行うものとする。
【００５５】
記録部２１９は、無線通信部２１８及び撮像部２１７のいずれか一つから供給された映像データ、音声データ等のデータを記録媒体２１９ａに記録する。また、記録部２１９は、映像データ、音声データ等のデータを記録媒体２１９ａから読み出し、ＲＡＭ２０８及び無線通信部２１８のいずれか一つに供給することもできる。なお、記録媒体２１９ａは、ハードディスクやメモリカード等であってもよく、電子機器２００に内蔵されていても、電子機器２００に着脱可能な外部の記録媒体であってもよい。
【００５６】
なお、画像処理部２１６は、電子機器２００が電源オンである場合にレギュレータ２０５から電力が供給される手段を含むものである。そのため、画像処理部２１６は、撮像部２１７、無線通信部２１８、記録部２１９及び記録媒体２１９ａ以外に映像データを表示するための表示手段やメールの送受信を行うための手段等をさらに含むものであってもよい。
【００５７】
切換部２２０は、発振器２１３とレギュレータ２０５とを接続するためのスイッチを含む。切換部２２０がオンである場合、発振器２１３とレギュレータ２０５とが接続され、切換部２２０がオンでない場合、発振器２１３とレギュレータ２０５とは接続されない。ＣＰＵ２０６は、ＮＦＣ規格に規定されているコマンドを送信するか否かに応じて、切換部２２０をオフにするか、オンにするかを制御する。
【００５８】
なお、送電アンテナ１０６及び受電アンテナ２０１は、ヘリカルアンテナであっても、ループアンテナであってもよく、メアンダラインアンテナ等の平面状のアンテナであってもよいものとする。
【００５９】
実施形態１において、送電装置１００は、磁界共鳴方式に基づいて、電子機器２００に無線電力伝送を行うようにしたが、これに限られるものではない。例えば、送電装置１００は、磁界共鳴方式の代わりに、電界結合に基づいて、電子機器２００に無線電力伝送を行うようにしてもよい。この場合、送電装置１００及び電子機器２００に電極を設ける必要があり、送電装置１００の電極から電子機器２００の電極に電力が無線により供給される。
【００６０】
また、例えば、送電装置１００は、磁界共鳴方式の代わりに、電磁誘導に基づいて、電子機器２００に無線電力伝送を行うようにしてもよい。
また、例えば、送電装置１００は、磁界共鳴方式の代わりに、ＷＰＣ（Ｗｉｒｅｌｅｓｓ  Ｐｏｗｅｒ  Ｃｏｎｓｏｒｔｉｕｍ）に規定されている規格（「Ｑｉ」規格）に基づいて、電子機器２００に無線電力伝送を行うようにしてもよい。
また、例えば、送電装置１００は、磁界共鳴方式の代わりに、ＣＥＡ（Ｃｏｎｓｕｍｅｒ  Ｅｌｅｃｔｒｏｎｉｃｓ  Ａｓｓｏｃｉａｔｉｏｎ）に規定されている規格に基づいて、電子機器２００に無線電力伝送を行うようにしてもよい。
送電装置１００は、無線により電力を電子機器２００に供給するようにするが、「無線」を「非接触」または「無接点」と言い換えてもよいものとする。
【００６１】
実施形態１において、送電装置１００は、ＮＦＣ規格に準拠した無線通信を電子機器２００と行うものとする。このため、ＣＰＵ１０７は、送電装置１００において、送電アンテナ１０６共振周波数ｆが１３．５６ＭＨｚになるように制御するものとする。
【００６２】
（認証用ＮＤＥＦメッセージ情報の例）
図５は、実施形態１の電子機器２００のＲＯＭ２０７またはＲＡＭ２０８に保持される無線電力伝送の対応機器の認証用ＮＤＥＦメッセージ情報の例を示す図である。
図５に示すように、認証用ＮＤＥＦメッセージ情報において、ＮＤＥＦヘッダ４００、ＲｅｃｏｒｄＴｙｐｅ４０１、及びＰａｙｌｏａｄ４０２により電子機器２００が無線電力伝送の対応機器であることを認証するためのＮＤＥＦ  Ｒｅｃｏｒｄが構成される。
【００６３】
ＮＤＥＦヘッダ４００には、ＮＤＥＦメッセージの始まりまたは終わりを示す情報、及びＰａｙｌｏａｄ長の情報が含まれる。ＲｅｃｏｒｄＴｙｐｅ４０１は、ＮＤＥＦ  Ｒｅｃｏｒｄの種別を示す。実施形態１では、ＲｅｃｏｒｄＴｙｐｅ４０１は"Ｗ"、"Ｐ"、"Ｔ"という文字列情報であり、本ＮＤＥＦ  Ｒｅｃｏｒｄは無線電力伝送の対応機器であることを認証するためのＮＤＥＦ  Ｒｅｃｏｒｄであることを示す。Ｐａｙｌｏａｄ４０２は、ＰｒｏｄｕｃｔＩＤを示し、無線電力伝送の対応機器毎に一意に決められたＩＤである。送電装置１００は、ＮＦＣ通信により電子機器２００が保持する認証用ＮＤＥＦメッセージ情報におけるＮＤＥＦ  Ｒｅｃｏｒｄ（ＮＤＥＦヘッダ４００、ＲｅｃｏｒｄＴｙｐｅ４０１、Ｐａｙｌｏａｄ４０２）を取得する。これにより、送電装置１００は、電子機器２００が無線電力伝送に対応しているか否かを認証する。
【００６４】
また、認証用ＮＤＥＦメッセージ情報において、ＮＤＥＦヘッダ４０３、ＲｅｃｏｒｄＴｙｐｅ４０４、及びＰａｙｌｏａｄ４０５により、無線電力伝送の対応機器の受電可能なパワーレベルを示すためのＮＤＥＦ  Ｒｅｃｏｒｄが構成される。
【００６５】
ＮＤＥＦヘッダ４０３には、ＮＤＥＦメッセージの始まりまたは終わりを示す情報、及びＰａｙｌｏａｄ長の情報が含まれる。ＲｅｃｏｒｄＴｙｐｅ４０４は、ＮＤＥＦ  Ｒｅｃｏｒｄの種別を示す。実施形態１では、ＲｅｃｏｒｄＴｙｐｅ４０４は"Ｐ"、"Ｌ"という文字列情報であり、本ＮＤＥＦ  Ｒｅｃｏｒｄが無線電力の伝送対応機器の受電可能なパワーレベルを示すためのＮＤＥＦ  Ｒｅｃｏｒｄであることを示す。
【００６６】
Ｐａｙｌｏａｄ４０５は、無線電力伝送の対応機器の受電可能なパワーレベルを示す。Ｐａｙｌｏａｄ４０５が"１"の場合はＨｉｇｈＰｏｗｅｒ、"２"の場合はＭｉｄｄｌｅＰｏｗｅｒ，"３"の場合はＬｏｗＰｏｗｅｒを示す。ＨｉｇｈＰｏｗｅｒは１０Ｗまで、ＭｉｄｄｌｅＰｏｗｅｒは５Ｗまで、ＬｏｗＰｏｗｅｒは１Ｗまでといったように、パワーレベルは無線電力伝送の対応機器が受電可能な最大電力（以下、最大受電電力）に応じて段階的に分類された情報である。送電装置１００は、ＮＦＣ通信部１０５によるＮＦＣ通信により、電子機器２００が保持する認証用ＮＤＥＦメッセージ情報におけるＮＤＥＦ  Ｒｅｃｏｒｄ（ＮＤＥＦヘッダ４０３、ＲｅｃｏｒｄＴｙｐｅ４０４、Ｐａｙｌｏａｄ４０５）を読み出す。これにより、送電装置１００は、電子機器２００のパワーレベル（最大受電電力の情報）を得ることが可能となる。
【００６７】
（送電装置１００により送電電力を決定する手順）
図６は、実施形態１において、送電装置１００により送電電力の大きさ（以下、実パワーレベル）を決定する処理手順を説明するためのフローチャートである。図６に示す処理は、送電装置１００の操作部１１１に存在する電源スイッチをユーザがＯＮにし、かつ、送電装置１００が送電を行う状態になった場合に、送電装置１００によって行われる処理である。なお、本フローチャートで説明される処理を制御するためのプログラムは、ＣＰＵ１０７によって実行されるものであり、ＲＯＭ１０８に格納されている。
【００６８】
電源が投入されると、Ｓ６０１において、ＣＰＵ１０７は、送電装置１００と、電子機器２００との距離が所定の範囲内に存在するか否かを検出する。この処理では、ＣＰＵ１０７は、通信電力を出力するように発振器１０２、電力生成部１０３及び整合回路１０４を制御する。検出方法としては、ＣＰＵ１０７は、検出部１１３が検出したＡ／Ｄコンバータ３１０から供給された進行波の振幅電圧Ｖ１の値と、Ａ／Ｄコンバータ３１１から供給された電圧進行波に対する反射波の振幅電圧Ｖ２の値とを取得する。そして、ＣＰＵ１０７は、取得した進行波の振幅電圧Ｖ１と、反射波の振幅電圧Ｖ２とをもとに、ＶＳＷＲを定期的に算出する。ＣＰＵ１０７は、算出したＶＳＷＲの値から、電子機器２００が所定の範囲内に存在するか否かを判定する。判定基準として、ＣＰＵ１０７は、算出したＶＳＷＲの値が所定値以上である場合に、電子機器２００が所定の範囲内に存在すると判定する。逆に、ＣＰＵ１０７は、算出したＶＳＷＲの値が所定値を下回っている場合は、電子機器２００が所定の範囲内に存在しないと判定する。
【００６９】
Ｓ６０１において、ＣＰＵ１０７が、算出したＶＳＷＲの値をもとに、電子機器２００が所定の範囲内に存在しないと判定した場合は、所定の時間待機し、その後Ｓ６０１に戻って、処理を繰り返す。一方、Ｓ６０１において、ＣＰＵ１０７が、算出したＶＳＷＲの値を元に、電子機器２００が所定の範囲内に存在すると判定した場合は、Ｓ６０２に進む。
【００７０】
Ｓ６０２において、ＣＰＵ１０７は、ＲＯＭ１０８に格納された認証プログラムに従い、ＮＦＣ通信部１０５によりＡＳＫ変調された信号を生成し、負荷変調信号を受信する。これにより、ＩＳＯ１４４４３−３、ＩＳＯ１４４４３−３、ＩＳＯ１８０９２、ＮＦＣ  Ｄｉｇｉｔａｌ  Ｐｒｏｔｏｃｏｌ等を利用して機器認証処理を行う。例えば、Ｓ６０２において、ＣＰＵ１０７は、ＮＦＣ通信部１０５を制御し、ＮＦＣリーダーライターモードとして電子機器２００が保持する図５に示した認証用ＮＤＥＦメッセージ情報を読み出すためのコマンドを送信する。なお、実施形態１では送電装置１００はＮＦＣリーダーライターモード、電子機器２００はＮＦＣカードエミュレーションモードとしてＮＦＣ通信を行う例を説明する。一方、送電装置１００および電子機器２００がそれぞれＰ２ＰモードとしてＮＦＣ通信を行ってもよい。
【００７１】
次に、Ｓ６０３において、ＣＰＵ１０７は、電子機器２００が保持する認証用ＮＤＥＦメッセージ情報を受信するまで待機し、認証用ＮＤＥＦメッセージ情報を受信した場合には、ＲＡＭ１０９に保持する。このとき、ＣＰＵ１０７は、電子機器２００が保持するＮＤＥＦメッセージ内のＲｅｃｏｒｄＴｙｐｅ４０１、およびＰａｙｌｏａｄ４０２をチェックする。
【００７２】
例えば、ＣＰＵ１０７は、ＲｅｃｏｒｄＴｙｐｅ４０１が"Ｗ"、"Ｐ"、"Ｔ"であること、およびＰａｙｌｏａｄ４０２が登録済みのＰｒｏｄｕｃｔＩＤであることを確認する。この確認後、電子機器２００が無線電力伝送の対応機器であると判定し、Ｓ６０４に進む。
【００７３】
次に、Ｓ６０４において、ＣＰＵ１０７は、送電装置１００が送電可能な送電側パワーレベルと、電子機器２００が受電可能な受電側パワーレベルとを比較する。なお、送電装置１００が送電可能な送電側パワーレベルの情報は、ＲＯＭ１０８またはＲＡＭ１０９に予め保持されている。また、電子機器２００が受電可能な受電側パワーレベルは、認証用ＮＤＥＦメッセージ情報の中のＮＤＥＦヘッダ４０３、ＲｅｃｏｒｄＴｙｐｅ４０４、及びＰａｙｌｏａｄ４０５から判別することができる。なお、送電側パワーレベル及び受電側パワーレベルは、ＨｉｇｈＰｏｗｅｒ、ＭｉｄｄｌｅＰｏｗｅｒ、またはＬｏｗＰｏｗｅｒに分類され、無線電力伝送の対応機器の最大受電電力に応じて段階的に分類されている。
【００７４】
Ｓ６０４では、ＣＰＵ１０７は、送電側パワーレベルと受電側パワーレベルとを比較し、同じパワーレベル（例えば、ともにＨｉｇｈＰｏｗｅｒ）である場合は、Ｓ６０５に進む。そしてＳ６０５において、ＣＰＵ１０７は、送電側パワーレベルを実パワーレベルとして決定する。例えば、送電側パワーレベル及び受電側パワーレベルがともにＨｉｇｈＰｏｗｅｒであった場合、ＣＰＵ１０７は実パワーレベルをＨｉｇｈＰｏｗｅｒとして決定する。以上のようにＳ６０５において実パワーレベルを決定した後、Ｓ６０６に進む。
【００７５】
続いてＳ６０６において、ＣＰＵ１０７は、ＮＦＣ通信部１０５を制御して無線電力伝送開始コマンドを電子機器２００に送信する。無線電力伝送開始コマンドはＮＤＥＦメッセージであり、Ｓ６０５において決定された実パワーレベル情報を含む。そして、無線電力伝送開始コマンドを電子機器２００に送信した後、Ｓ６１４に進む。
【００７６】
次に、Ｓ６１４において、ＣＰＵ１０７は、電力生成部１０３のアンプ電圧を変えて電力生成部１０３により生成される電力の大きさを変えることにより、送電電力の大きさが実パワーレベルを超えないように送電を開始する。例えば、Ｓ６０５において実パワーレベルがＨｉｇｈＰｏｗｅｒとして決定された場合、ＣＰＵ１０７は、ＨｉｇｈＰｏｗｅｒの最大電力である１０Ｗを超えない範囲で送電電力の大きさを調整して送電を行う。
【００７７】
また、Ｓ６１４において、ＣＰＵ１０７は、送電装置１００から電子機器２００までの送電効率も考慮して、電子機器２００に充電される電力が実パワーレベルを超えないように送電電力の大きさを調整してもよい。例えば、Ｓ６１４において実パワーレベルがＭｉｄｄｌｅＰｏｗｅｒとして決定された場合、送電装置１００から電子機器２００までの送電効率が５０％として、電子機器２００に充電される電力がＭｉｄｄｌｅＰｏｗｅｒを示す５Ｗを超えないようにする。このことから、ＣＰＵ１０７は、５Ｗ×２＝１０Ｗを超えない範囲で送電電力の大きさを調整して送電を行う。
【００７８】
一方、Ｓ６０４の比較の結果、送電側パワーレベルと受電側パワーレベルとが異なる場合は、Ｓ６０７に進む。そして、Ｓ６０７において、ＣＰＵ１０７は、送電パワーレベルより受電パワーレベルの方が大きいか否かを判定する。そして、送電パワーレベルより受電パワーレベルの方が大きい場合は、Ｓ６０８に進み、送電パワーレベルより受電パワーレベルの方が小さい場合は、Ｓ６１２に進む。
【００７９】
Ｓ６０８においては、ＣＰＵ１０７は、実パワーレベル＝送電側パワーレベルとして決定する。
一方、Ｓ６１２においては、ＣＰＵ１０７は、実パワーレベル＝受電側パワーレベルとして決定する。
【００８０】
例えば、送電側パワーレベルがＭｉｄｄｌｅＰｏｗｅｒであり、受電側パワーレベルがＨｉｇｈＰｏｗｅｒである場合には、ＣＰＵ１０７は、実パワーレベルをＭｉｄｄｌｅＰｏｗｅｒとして決定する。また、送電側パワーレベルがＨｉｇｈＰｏｗｅｒで、受電側パワーレベルがＭｉｄｄｌｅＰｏｗｅｒである場合には、ＣＰＵ１０７は、実パワーレベルをＭｉｄｄｌｅＰｏｗｅｒとして決定する。Ｓ６０８またはＳ６１２において実パワーレベルを決定した後、Ｓ６０９に進む。
【００８１】
次に、Ｓ６０９において、ＣＰＵ１０７は、ＮＦＣ通信部１０５を制御して無線電力伝送開始コマンドを電子機器２００に送信する。無線電力伝送開始コマンドはＮＤＥＦメッセージであり、Ｓ６０８またはＳ６１２において決定された実パワーレベル情報を含む。電子機器２００のＣＰＵ２０６は、無線電力伝送開始コマンドを受信すると、充電制御部２１１から入力された電池２１２に係る情報、電子機器２００本体の温度などを考慮して、その実パワーレベルで充電を行っても問題ないか否かを判断する。そして、ＣＰＵ２０６は、無線伝送の開始の許可または不許可を示す無線電力伝送開始レスポンスをＮＦＣ通信部２０４により送電装置１００に送信する。
【００８２】
次に、Ｓ６１０において、ＣＰＵ１０７は、Ｓ６０９で電子機器２００に送信した無線電力伝送開始コマンドに対して、電子機器２００から無線電力伝送開始レスポンスを受信するまで待機する。そして、電子機器２００から無線電力伝送開始レスポンスを受信した場合には、Ｓ６１１に進む。一方、Ｓ６１０において、ＣＰＵ１０７が電子機器２００から無線電力伝送開始レスポンスを所定時間受信しなかった場合は、Ｓ６１３に進む。
【００８３】
Ｓ６１１において、ＣＰＵ１０７は、ＮＤＥＦメッセージである無線電力伝送開始レスポンスをチェックする。そして、ＣＰＵ１０７は、無線電力伝送開始コマンドから実パワーレベルでの送電を許可するか否かを判断する。そして、ＣＰＵ１０７が電子機器２００から受信した無線電力伝送開始レスポンスから実パワーレベルでの送電を許可すると判断した場合は、前述したＳ６１４に進む。一方、ＣＰＵ１０７が電子機器２００から受信した無線電力伝送開始レスポンスから実パワーレベルでの送電を許可しないと判断した場合は、Ｓ６１３に進む。
【００８４】
Ｓ６１３においては、ＣＰＵ１０７は、Ｓ６０９において送信した無線電力伝送開始コマンドに含まれる実パワーレベルから一段階下げる。そして、Ｓ６０９に戻り、ＣＰＵ１０７は、ＮＦＣ通信部１０５を制御して実パワーレベルを一段階下げた情報を含んだ無線電力伝送開始コマンドを電子機器２００に送信する。
【００８５】
例えば、ＣＰＵ１０７は、Ｓ６０９において実パワーレベルをＭｉｄｄｌｅＰｏｗｅｒとして電子機器２００に無線電力伝送開始コマンドを送信し、その後、Ｓ６１１に進むものとする。そして、Ｓ６１１において、ＣＰＵ１０７がＭｉｄｄｌｅＰｏｗｅｒでの送電を許可しないと判断した場合、Ｓ６１３において、ＣＰＵ１０７は実パワーレベルをＬｏｗＰｏｗｅｒに変更する。そして、Ｓ６０９に戻り、ＣＰＵ１０７は、再度、ＮＦＣ通信部１０５を制御して無線電力伝送開始コマンドを電子機器２００に送信する。
【００８６】
なお、図６に示した例では、送電側パワーレベルと受電側パワーレベルとが同じパワーレベルである場合は、無線電力伝送開始コマンドを電子機器２００に送信して、そのまま送電を開始した。一方、送電側パワーレベルと受電側パワーレベルとが同じパワーレベルである場合であっても、無線電力伝送開始レスポンスによっては実パワーレベルを下げるようにしてもよい。この場合、Ｓ６０６の後に、Ｓ６１０と同じ処理を行い、無線電力伝送開始レスポンスを受信し、かつその内容が許可である場合はＳ６１４に進む。一方、無線電力伝送開始レスポンスを受信していない場合、または無線電力伝送開始レスポンスを受信し、かつその内容が不許可である場合はＳ６１３と同様の処理を行い、Ｓ６０６に戻るようにしてもよい。
【００８７】
ＣＰＵ１０７は、送電開始後、ＮＦＣ通信部１０５を制御して電子機器２００から所定の周期でステータス交換用ＮＤＥＦメッセージ情報を受信する。また、ＣＰＵ１０７は、Ｓ６１４において、送電開始後、実パワーレベルに応じて、ＮＦＣ通信部１０５による通信周期を調整してもよい。具体的には、ＣＰＵ１０７は、実パワーレベルが高いほどＮＦＣ通信部１０５による通信周期を短くすることにより、安全性を高めてもよい。この場合、送電開始後、ＣＰＵ１０７は、ＮＦＣ通信部１０５による通信により、例えば、電子機器２００のバッテリ情報や温度情報、エラー情報などを電子機器２００から取得する。例えば、ＣＰＵ１０７は、送電開始後、実パワーレベルがＨｉｇｈＰｏｗｅｒのときは、危険度が増すので、ＮＦＣ通信部１０５による通信周期を１秒とする。そして、実パワーレベルがＭｉｄｄｌｅＰｏｗｅｒのときは、ＮＦＣ通信部１０５による通信周期を３秒とする。さらに、実パワーレベルがＬｏｗＰｏｗｅｒのときは、危険度が少ないので、ＮＦＣ通信部１０５による通信周期を１０秒とする。
【００８８】
（ステータス交換用ＮＤＥＦメッセージ情報の例）
図７は、実施形態１の電子機器２００のＲＯＭ２０７またはＲＡＭ２０８に保持されているステータス交換用ＮＤＥＦメッセージ情報の例を示す図である。
図７に示すように、ステータス交換用ＮＤＥＦメッセージ情報において、ＮＤＥＦヘッダ７０１及びＲｅｃｏｒｄＴｙｐｅ７０２により、電子機器２００のステータスを知らせるためのＮＤＥＦ  Ｒｅｃｏｒｄが構成される。
【００８９】
ＮＤＥＦヘッダ７０１には、ＮＤＥＦメッセージの始まりまたは終わりを示す情報、及びＰａｙｌｏａｄ長の情報が含まれる。ＲｅｃｏｒｄＴｙｐｅ７０２は、ＮＤＥＦ  Ｒｅｃｏｒｄの種別を示す。実施形態１では、ＲｅｃｏｒｄＴｙｐｅ７０２は"Ｓ"、"Ｔ"という文字列情報であり、本ＮＤＥＦ  Ｒｅｃｏｒｄは電子機器２００のステータスを知らせるためのＮＤＥＦ  Ｒｅｃｏｒｄであることを示す。送電装置１００は、ＮＦＣ通信により電子機器２００が保持するステータス交換用ＮＤＥＦメッセージ情報におけるＮＤＥＦ  Ｒｅｃｏｒｄ（ＮＤＥＦヘッダ７０１及びＲｅｃｏｒｄＴｙｐｅ７０２）を取得する。これにより、送電装置１００は、電子機器２００のステータスを知らせるためのＮＤＥＦ情報が続くことを検知することができる。
【００９０】
また、ステータス交換用ＮＤＥＦメッセージ情報において、ＮＤＥＦヘッダ７０３、ＲｅｃｏｒｄＴｙｐｅ７０４、及びＰａｙｌｏａｄ７０５により、無線電力伝送の対応機器から送電電力の増減を要求するためのＮＤＥＦ  Ｒｅｃｏｒｄが構成される。
【００９１】
ＮＤＥＦヘッダ７０３には、ＮＤＥＦメッセージの始まりまたは終わりを示す情報、及びＰａｙｌｏａｄ長の情報が含まれる。ＲｅｃｏｒｄＴｙｐｅ７０４は、ＮＤＥＦ  Ｒｅｃｏｒｄの種別を示す。実施形態１では、ＲｅｃｏｒｄＴｙｐｅ７０４は、"Ａ"、"Ｐ"、"Ｒ"という文字列情報であり、本ＮＤＥＦ  Ｒｅｃｏｒｄが無線電力伝送の対応機器から送電電力の増減を要求するためのＮＤＥＦ  Ｒｅｃｏｒｄであることを示す。
【００９２】
Ｐａｙｌｏａｄ７０５は、無線電力伝送の対応機器から送電電力を現状のままを要求するか、現状よりも増加を要求するか、または現状よりも減少を要求するかを示す。Ｐａｙｌｏａｄ７０５が"０"の場合は、無線電力伝送の対応機器が送電電力を現状のままとすることを要求することを意味する。Ｐａｙｌｏａｄ７０５が"１"の場合は、無線電力伝送の対応機器が送電電力を現状よりも増加することを要求することを意味する。Ｐａｙｌｏａｄ７０５が"２"の場合は、無線電力伝送の対応機器が送電電力を現状よりも減少することを要求することを意味する。
【００９３】
送電装置１００は、ＮＦＣ通信により、電子機器２００が保持するステータス交換用ＮＤＥＦメッセージ情報におけるＮＤＥＦ  Ｒｅｃｏｒｄ（ＮＤＥＦヘッダ７０３、ＲｅｃｏｒｄＴｙｐｅ７０４、及びＰａｙｌｏａｄ７０５）を取得する。これにより、送電装置１００は、電子機器２００による送電電力の増減要求を受け付けることが可能となる。
【００９４】
（送電装置１００により送電電力を調整する手順）
図８は、実施形態１において、送電装置１００により送電電力の増減量を決定する処理手順を説明するためのフローチャートである。図８に示す処理は、送電装置１００が図６のフローチャートに従って実パワーレベルを決定して送電を開始した後、送電装置１００によって行われる処理である。なお、本フローチャートで説明される処理を制御するためのプログラムは、ＣＰＵ１０７によって実行されるものであり、ＲＯＭ１０８に格納されている。
【００９５】
Ｓ８０１において、ＣＰＵ１０７は、電子機器２００が保持するステータス交換用ＮＤＥＦメッセージ情報をＮＦＣ通信部１０５により受信するまで待機する。そして、電子機器２００からステータス交換用ＮＤＥＦメッセージ情報を受信した場合は、ＣＰＵ１０７は、ステータス交換用ＮＤＥＦメッセージ情報をＲＡＭ１０９に保持する。また、ＣＰＵ１０７は、受信したステータス交換用ＮＤＥＦメッセージ情報内のＲｅｃｏｒｄＴｙｐｅ７０２が電子機器２００のステータス情報であることを確認する。この確認が終了するまでＳ８０１において待機し、この確認が取れた場合に、次のＳ８０２に進む。
【００９６】
次に、Ｓ８０２において、ＣＰＵ１０７は、ＲｅｃｏｒｄＴｙｐｅ７０４が"Ａ"、"Ｐ"、"Ｒ"であることを確認する。そして、ＣＰＵ１０７は、Ｐａｙｌｏａｄ７０５が"１"であるか否かを判断する。この判断の結果、Ｐａｙｌｏａｄ７０５が"１"である場合はＳ８０４に進み、そうでない場合はＳ８０３に進む。
【００９７】
Ｓ８０４においては、ＣＰＵ１０７は、実パワーレベルを図６に示した手順によってＨｉｇｈＰｏｗｅｒ（電子機器２００は１０Ｗまで受電可能）として決定したか否かを判断する。この判断の結果、実パワーレベルをＨｉｇｈＰｏｗｅｒとして決定した場合はＳ８０５に進み、そうでない場合はＳ８０６に進む。
【００９８】
Ｓ８０５においては、ＣＰＵ１０７は、電力生成部１０３のアンプ電圧を変えて電力生成部１０３により生成される送電電力を現状より１Ｗ上げるよう制御して、処理を終了する。
【００９９】
一方、Ｓ８０６においては、ＣＰＵ１０７は、実パワーレベルを図６に示した手順によってＭｉｄｄｌｅＰｏｗｅｒ（電子機器２００は５Ｗまで受電可能）として決定したか否かを判断する。この判断の結果、実パワーレベルをＭｉｄｄｌｅＰｏｗｅｒとして決定した場合はＳ８０７に進み、そうでない場合はＳ８０８に進む。
【０１００】
Ｓ８０７においては、ＣＰＵ１０７は、電力生成部１０３のアンプ電圧を変えて電力生成部１０３により生成される送電電力を現状より０．５Ｗ上げるよう制御して、処理を終了する。
一方、Ｓ８０８においては、ＣＰＵ１０７は、電力生成部１０３のアンプ電圧を変えて電力生成部１０３により生成される送電電力を現状より０．１Ｗ上げるよう制御して、処理を終了する。
【０１０１】
一方、Ｓ８０３において、ＣＰＵ１０７は、ＲｅｃｏｒｄＴｙｐｅ７０４が"Ａ"、"Ｐ"、"Ｒ"であることを確認する。そして、ＣＰＵ１０７は、Ｐａｙｌｏａｄ７０５が"２"であるか否かを判断する。この判断の結果、Ｐａｙｌｏａｄ７０５が"２"である場合はＳ８０９に進み、そうでない場合は処理を終了する。
【０１０２】
Ｓ８０９においては、ＣＰＵ１０７は、実パワーレベルを図６に示した手順によってＨｉｇｈＰｏｗｅｒ（電子機器２００は１０Ｗまで受電可能）として決定したか否かを判断する。この判断の結果、実パワーレベルをＨｉｇｈＰｏｗｅｒとして決定した場合はＳ８１０に進み、そうでない場合はＳ８１１に進む。
【０１０３】
Ｓ８１０においては、ＣＰＵ１０７は、電力生成部１０３のアンプ電圧を変えて電力生成部１０３により生成される送電電力を現状より１Ｗ下げるよう制御して、処理を終了する。
【０１０４】
一方、Ｓ８１１においては、ＣＰＵ１０７は、実パワーレベルを図６に示した手順によってＭｉｄｄｌｅＰｏｗｅｒ（電子機器２００は５Ｗまで受電可能）として決定したか否かを判断する。この判断の結果、実パワーレベルをＭｉｄｄｌｅＰｏｗｅｒとして決定した場合はＳ８１２に進み、そうでない場合はＳ８１３に進む。
【０１０５】
Ｓ８１２においては、ＣＰＵ１０７は、電力生成部１０３のアンプ電圧を変えて電力生成部１０３により生成される送電電力を現状より０．５Ｗ下げるよう制御して、処理を終了する。
一方、Ｓ８１３においては、ＣＰＵ１０７は、電力生成部１０３のアンプ電圧を変えて電力生成部１０３により生成される送電電力を現状より０．１Ｗ下げるよう制御して、処理を終了する。
【０１０６】
以上のように、実施形態１に係る送電装置１００によれば、受電機器である電子機器２００の受電可能な電力レベルから決定される実パワーレベルに応じて、送電電力の増減要求により送電電力の増減量を適切に決定することが可能となる。
【０１０７】
［実施形態２］
以下、実施形態２について説明する。なお、実施形態２に係る送電装置１００及び電子機器２００の構成、並びに実パワーレベルを決定する処理については実施形態１と同様であるため、説明は省略する。以下、実施形態１と異なる点のみ、図面を参照して説明する。
【０１０８】
（ステータス交換用ＮＤＥＦメッセージ情報の例）
図９は、実施形態２において、電子機器２００のＲＯＭ２０７またはＲＡＭ２０８に保持されているステータス交換用ＮＤＥＦメッセージ情報の例を示す図である。図９のステータス交換用ＮＤＥＦメッセージ情報において、ＮＤＥＦヘッダ７０１、ＲｅｃｏｒｄＴｙｐｅ７０２、ＮＤＥＦヘッダ７０３、ＲｅｃｏｒｄＴｙｐｅ７０４及びＰａｙｌｏａｄ７０５は、それぞれ図７と同様であるため、説明は省略する。
【０１０９】
図９において、ＮＤＥＦヘッダ７０３、ＲｅｃｏｒｄＴｙｐｅ７０４、Ｐａｙｌｏａｄ７０５、及びＰａｙｌｏａｄ９０６により、無線電力伝送の対応機器から送電電力の増減を要求するためのＮＤＥＦ  Ｒｅｃｏｒｄが構成される。
【０１１０】
Ｐａｙｌｏａｄ９０６は、無線電力伝送の対応機器が要求する送電電力の増加カウントまたは減少カウント（増減ステップ数）を示す。例えば、Ｐａｙｌｏａｄ９０５が"１"でＰａｙｌｏａｄ９０６が"５"の場合は、無線電力伝送の対応機器が送電電力を現状よりも５カウント分増加することを要求することを意味する。また、Ｐａｙｌｏａｄ９０５が"２"でＰａｙｌｏａｄ９０６が"３"の場合、無線電力伝送の対応機器が送電電力を現状よりも３カウント分減少することを要求することを意味する。送電装置１００は、ＮＦＣ通信により電子機器２００が保持するステータス交換用ＮＤＥＦメッセージ情報におけるＮＤＥＦ  Ｒｅｃｏｒｄ（ＮＤＥＦヘッダ７０３、ＲｅｃｏｒｄＴｙｐｅ７０４、Ｐａｙｌｏａｄ７０５及びＰａｙｌｏａｄ９０６）を取得する。これにより、送電装置１００は、電子機器２００による送電電力の増減要求をその増減カウント数とともに得ることが可能となる。
【０１１１】
（送電装置１００により送電電力を調整する手順）
図１０は、実施形態２において、送電装置１００により送電電力の増減量を決定する処理手順を説明するためのフローチャートである。図１０に示す処理は、送電装置１００が図６のフローチャートに従って実パワーレベルを決定して送電を開始した後、送電装置１００によって行われる処理である。なお、本フローチャートで説明される処理を制御するためのプログラムは、ＣＰＵ１０７によって実行されるものであり、ＲＯＭ１０８に格納されている。また、図８と同じ処理については図８と同じ符号を付しており、これらの処理の説明は省略する。以下、図８と異なる部分について説明する。
【０１１２】
Ｓ８０４の判断の結果、ＣＰＵ１０７が実パワーレベルをＨｉｇｈＰｏｗｅｒ（電子機器２００は１０Ｗまで受電可能）として決定した場合は、Ｓ１００１に進む。そして、Ｓ１００１において、ＣＰＵ１０７は、送電電力の増加単位（ＰｏｗｅｒＳｔｅｐ）を０．１Ｗとし、Ｓ１００７に進む。
【０１１３】
また、Ｓ８０６の判断の結果、ＣＰＵ１０７が実パワーレベルをＭｉｄｄｌｅＰｏｗｅｒ（電子機器２００は５Ｗまで受電可能）として決定した場合は、Ｓ１００２に進み、そうでない場合、ステップＳ１００３に進む。
【０１１４】
Ｓ１００２においては、ＣＰＵ１０７は、送電電力の増加単位（ＰｏｗｅｒＳｔｅｐ）を０．０５Ｗとし、Ｓ１００７に進む。
一方、Ｓ１００３においては、ＣＰＵ１０７は、送電電力の増加単位（ＰｏｗｅｒＳｔｅｐ）を０．０１Ｗとし、Ｓ１００７に進む。
【０１１５】
一方、Ｓ８０９の判断の結果、ＣＰＵ１０７が実パワーレベルをＨｉｇｈＰｏｗｅｒ（電子機器２００は１０Ｗまで受電可能）として決定した場合は、Ｓ１００４に進む。そして、Ｓ１００４において、ＣＰＵ１０７は、送電電力の減少単位（ＰｏｗｅｒＳｔｅｐ）を０．１Ｗとし、Ｓ１００８に進む。
【０１１６】
また、Ｓ８１１の判断の結果、ＣＰＵ１０７が実パワーレベルをＭｉｄｄｌｅＰｏｗｅｒ（電子機器２００は５Ｗまで受電可能）として決定した場合は、Ｓ１００５に進み、そうでない場合、Ｓ１００６に進む。
【０１１７】
Ｓ１００４においては、ＣＰＵ１０７は、送電電力の減少単位（ＰｏｗｅｒＳｔｅｐ）を０．０５Ｗとし、Ｓ１００８に進む。
一方、Ｓ１００６においては、ＣＰＵ１０７は、送電電力の減少単位（ＰｏｗｅｒＳｔｅｐ）を０．０１Ｗとし、Ｓ１００８に進む。
【０１１８】
Ｓ１００７においては、ＣＰＵ１０７は、Ｐａｙｌｏａｄ９０６の送電電力の増加カウント（ＰｏｗｅｒＣｏｕｎｔ）と送電電力の増加単位（ＰｏｗｅｒＳｔｅｐ）とを乗じた電力を送電電力の増加量として決定する。そして、ＣＰＵ１０７は、電力生成部１０３のアンプ電圧を変えて電力生成部１０３により生成される送電電力を、決定した増加量分だけ現状より上げるよう制御して、処理を終了する。
【０１１９】
例えば、実パワーレベルがＨｉｇｈＰｏｗｅｒであり、Ｐａｙｌｏａｄ９０５が"１"で、Ｐａｙｌｏａｄ９０６が"３"の場合は、送電電力の増加量は、送電電力の増加カウント（３）×送電電力の増加単位（０．１Ｗ）＝０．３Ｗと決定される。また、例えば、実パワーレベルがＬｏｗＰｏｗｅｒであり、Ｐａｙｌｏａｄ９０５が"１"で、Ｐａｙｌｏａｄ９０６が"２"の場合は、送電電力の増加量は、送電電力の増加カウント（２）×送電電力の増加単位（０．０１Ｗ）＝０．０２Ｗと決定される。
【０１２０】
一方、Ｓ１００８においては、ＣＰＵ１０７は、Ｐａｙｌｏａｄ９０６の送電電力の減少カウント（ＰｏｗｅｒＣｏｕｎｔ）と送電電力の減少単位（ＰｏｗｅｒＳｔｅｐ）とを乗じた電力を送電電力の減少量として決定する。そして、ＣＰＵ１０７は、電力生成部１０３のアンプ電圧を変えて電力生成部１０３により生成される送電電力を、決定した減少量分だけ現状より下げるよう制御して、処理を終了する。
【０１２１】
例えば、実パワーレベルがＭｉｄｄｌｅＰｏｗｅｒであり、Ｐａｙｌｏａｄ９０５が"２"で、Ｐａｙｌｏａｄ９０６が"５"の場合は、送電電力の減少量は、送電電力の減少カウント（５）×送電電力の減少単位（０．０５Ｗ）＝０．２５Ｗと決定される。また、例えば、実パワーレベルがＬｏｗＰｏｗｅｒであり、Ｐａｙｌｏａｄ９０５が"２"で、Ｐａｙｌｏａｄ９０６が"４"の場合は、送電電力の減少量は、送電電力の減少カウント（４）×送電電力の減少単位（０．０１Ｗ）＝０．０４Ｗと決定される。
【０１２２】
以上のように、実施形態２に係る送電装置１００は、受電機器である電子機器２００の受電可能な電力レベルから決定される実パワーレベルに応じて、送電電力の増減要求により送電電力の増減量をより適切に決定することが可能となる。
【０１２３】
［実施形態１および２の変形例］
実施形態１および２において、送電装置１００及び電子機器２００は、ＮＦＣに準拠した無線通信を行うものとした。しかし、送電装置１００及び電子機器２００は、近接無線通信を行うものであれば、ＮＦＣに準拠した無線通信以外の近接無線通信を行うものであっても良いものとする。送電装置１００及び電子機器２００は、ＮＦＣ規格に準拠した無線通信の代わりに、ＦｅｌｉＣａ（登録商標）規格に準拠した無線通信を行うものであってもよいものとする。
【０１２４】
また、送電装置１００及び電子機器２００は、ＮＦＣに準拠した無線通信の代わりに、ＲＦＩＤ（Ｒａｄｉｏ  Ｆｒｅｑｕｅｎｃｙ  ＩＤｅｎｔｉｆｉｃａｔｉｏｎに準拠した無線通信を行うものであってもよいものとする。また、送電装置１００及び電子機器２００は、ＮＦＣに準拠した無線通信の代わりに、ＭＩＦＡＲＥ（登録商標）規格（ＩＳＯ／ＩＥＣ  １４４４３）に準拠した無線通信を行うものであってもよいものとする。また、送電装置１００及び電子機器２００は、ＮＦＣに準拠した無線通信の代わりに、ＴｒａｎｓｆｅｒＪｅｔ（登録商標）規格に準拠した無線通信を行うものであってもよいものとする。
【０１２５】
また、実施形態１および２において、送電装置１００と電子機器２００との間で共振を行うために、送電アンテナ１０６の共振周波数及び受電アンテナ２０１の共振周波数が１３．５６ＭＨｚになるようにした。しかし、これに限られないものとする。例えば、送電装置１００及び電子機器２００が、ＮＦＣに準拠した無線通信の代わりに、ＴｒａｎｓｆｅｒＪｅｔ規格に準拠した無線通信を行う場合、送電アンテナ１０６の共振周波数及び受電アンテナ２０１の共振周波数が４．４８ＧＨｚになるようにする。また、送電装置１００が磁界共鳴方式の代わりに、Ｑｉ規格に対応する無線電力伝送を行う場合、送電アンテナ１０６の共振周波数及び受電アンテナ２０１の共振周波数が１００ｋＨｚ〜２５０ｋＨｚの間のいずれか一つの周波数になるようにしてもよい。また、送電アンテナ１０６の共振周波数及び受電アンテナ２０１の共振周波数が６．７８ＭＨｚ、または数百ｋＨｚ以下の周波数になるようにしてもよい。
【０１２６】
また、実施形態１および２において、無線通信部１１２及び無線通信部２１８は、無線ＬＡＮ規格に準拠する通信を行うものとした。しかし、これに限られないものとする。例えば、無線通信部１１２及び無線通信部２１８は、無線ＬＡＮ規格に準拠する無線通信の代わりに、Ｂｌｕｅ  Ｔｏｏｔｈ（登録商標）規格に準拠する無線通信を行うようにしてもよい。
【０１２７】
また、例えば、無線通信部１１２及び無線通信部２１８は、無線ＬＡＮ規格に準拠する無線通信の代わりに、ＷｉｒｅｌｅｓｓＨＤ（登録商標）規格に準拠する無線通信を行うようにしてもよい。また、例えば、無線通信部１１２及び無線通信部２１８、無線ＬＡＮ規格に準拠する無線通信の代わりに、ＷＨＤＩ（登録商標）規格に準拠する無線通信を行うようにしてもよい。
【０１２８】
また、例えば、送電装置１００は、無線通信部１１２の代わりに有線通信部を有し、送電装置１００は、無線通信部１１２の代わりに有線通信部を有し、電子機器２００は、無線通信部２１８の代わりに有線通信部を有するようにしてもよい。この場合、送電装置１００における有線通信部及び電子機器２００における有線通信部は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）規格に準拠した通信を行うようにしてもよい。また、この場合、送電装置１００における有線通信部及び電子機器２００における有線通信部は、Ｄｉｓｐｌａｙ  Ｐｏｒｔ（登録商標）規格に準拠した通信を行うようにしてもよい。
【０１２９】
［実施形態３］
実施形態１および２で説明した様々な機能、処理及び方法は、パーソナルコンピュータ、マイクロコンピュータ、ＣＰＵ（Ｃｅｎｔｒａｌ  Ｐｒｏｃｅｓｓｉｎｇ  Ｕｎｉｔ）などがプログラムを用いて実現することもできる。以下、実施形態３では、パーソナルコンピュータ、マイクロコンピュータ、ＣＰＵなどを「コンピュータＸ」と呼ぶ。また、実施形態３では、コンピュータＸを制御するためのプログラムであって、実施形態１および２で説明した様々な機能、処理及び方法を実現するためのプログラムを「プログラムＹ」と呼ぶ。
【０１３０】
実施形態１および２で説明した様々な機能、処理及び方法は、コンピュータＸがプログラムＹを実行することによって実現される。この場合において、プログラムＹは、コンピュータ読み取り可能な記憶媒体を介してコンピュータＸに供給される。実施形態３におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも一つを含む。実施形態３におけるコンピュータ読み取り可能な記憶媒体は、ｎｏｎ−ｔｒａｎｓｉｔｏｒｙ（非一時的）な記憶媒体である。
【符号の説明】
【０１３１】
１０５  ＮＦＣ通信部
１０６  送電アンテナ
１０７  ＣＰＵ
【図１】
0006632326.tif 000002
【図２】
0006632326.tif 000003
【図３】
0006632326.tif 000004
【図４】
0006632326.tif 000005
【図５】
0006632326.tif 000006
【図６】
0006632326.tif 000007
【図７】
0006632326.tif 000008
【図８】
0006632326.tif 000009
【図９】
0006632326.tif 000010
【図１０】
0006632326.tif 000011